(57)【要約】【課題】  調光レンズと白玉レンズの間に偏光フイルムを挟み込んで積層・接着したサングラス用の調光・偏光レンズであって、内側と外側での明るさが同じになる調光・偏光レンズの提供。【解決手段】  調光レンズ１はその厚さを一定とした曲面にて形成し、白玉レンズ２はサングラスのフロント部中央側の厚みを大きくし、フロント部外側の厚みを薄くしたディセンターレンズを構成している。【選択図】    図２
2010026143.tif 000002
【特許請求の範囲】
【請求項１】
表側の調光レンズと裏側の白玉レンズの間に偏光フイルムを挟み込んで積層・接着したサングラス用の調光・偏光レンズにおいて、上記調光レンズはその厚さを一定とした曲面にて形成し、上記白玉レンズはサングラスのフロント部中央側の厚みを大きくし、フロント部外側の厚みを薄くして光学中心をズラしたディセンターレンズを用いたことを特徴とするサングラス用の調光・偏光レンズ。
【発明の詳細な説明】
【技術分野】
【０００１】
本発明は調光機能と偏光機能を兼ね備えたサングラス用の調光・偏光レンズに関するものである。
【背景技術】
【０００２】
太陽光線は縦波と横波の混合波であるが、光学的異方性を有する偏光レンズを光が通過する場合、上記縦波又は横波のいずれかの振動波を選択して通過させ、他方の波の通過を阻止することが出来る。従って、太陽光の反射によって水面や路面、又は屋根瓦等がギラ付いて見えることはなく、太陽光の強い夏場には眩しくなくて最適なレンズである。勿論、単に太陽光線を遮るだけであるならばサングラスでもよいが、該サングラスには太陽光線の片方の振動波を遮るといったこの機能は存在せず、反射光のギラ付きを完全に防止することは出来ない。
【０００３】
又、反射光を遮るための偏光機能と明暗を調節するための調光機能とを合わせ持つ調光・偏光レンズが知られ、近年では、このような調光・偏光機能を有するレンズの需要が高まっている。調光レンズとは周囲の紫外線量によって自らが濃度を変えて光の量を調整することが出来る機能を備えたレンズであり、レンズ素材にハロゲン化銀を混ぜ、紫外線によるハロゲンと銀の可逆的結合で着色・退色することが出来る。
ここで、調光・偏光機能を備えた積層レンズを製造するには、レンズ基体の表面に接着剤を塗布して偏光フイルムと調光レンズを重ね、両者を接着させたものが知られている。
【０００４】
特開２００７−１６４０３０号に係る「積層レンズの製造方法及びその成形型」は、最適な偏光度，調光度を有する高品質のレンズを、簡単かつ低コストで製造するレンズの製造方法である。
すなわち、下型とシール部材とレンズ基体とを準備し、シール部材に下型を嵌入して位置決めし、下型の型面に、調光レンズ又は偏光レンズを形成するためのレンズ材料を流動状態で供給し、レンズ基体を下型に対向させた状態でシール部材に嵌め込み、レンズ基体でレンズ材料を加圧しつつ展延させて、下型とレンズ基体との間のキャビティをレンズ材料で満たし、レンズ材料を硬化させてレンズ基体の一面に偏光レンズ又は調光レンズを形成する。
【０００５】
一方、上記のような射出成形ではなく、２枚のレンズにて偏光フイルムを挟み込んだ構造の調光・偏光レンズが知られている。このように既存のレンズを使用して貼り合せて構成する調光・偏光レンズでは射出成形用の金型は不要となり、しかも射出成形装置は要らない。しかも、高精度な既存の調光レンズ及び白玉レンズを使用する方が製作される調光・偏光レンズの性能は高くなる。
【０００６】
図４は従来の調光・偏光レンズの組合せ構造を示している横断面図である。同図の（イ）は調光レンズ、（ロ）は普通の白玉レンズ、（ハ）は偏光フイルムを表している。調光・偏光レンズは上記調光レンズ（イ）と白玉レンズ（ロ）とで偏光フイルム（ハ）を挟み込んだ構造とし、互いに接着することで一体化して構成している。
【０００７】
ところで、同図から明らかなように、表側の調光レンズ（イ）はその厚さが一定でなく、中央側（内側）では厚く（Ｔ１）、外側では薄く（Ｔ２）と成っている。従って、厚さの大きな内側部分（フロント部の中央側）での調光機能は高いが、外側部分での調光機能は低くなる。すなわち、内側部分は色が濃く、外側部分は色が薄く成ってしまう。このような調光レンズ（イ）を組み合わせた調光・偏光レンズは好ましくない。
【０００８】
近年、サングラス用のレンズとして、顔になじむように外側へ大きく延びる形状のものが採用されている。その狙いは広い視野の確保であったり、風を巻き込まない為であり、又はファッション性を重視するなど目的は色々ある。このようなレンズを仮に同一厚さで構成する場合、プリズム現象と呼ばれるものが発生する。すなわち、景色が歪んで見えることがあり、これは顔になじます為に外側へ大きく延ばすことで発生するレンズ自体の傾斜が主な原因である。
【０００９】
すなわち、レンズの厚さが一定の場合、真っ直ぐに直視する際に光が通過するレンズの厚さに比較して、斜め方向を見る時の光が通過するレンズ厚さは大きくなる。このレンズ厚さを是正する為に光学中心をズラしたディセンターレンズが使用される。図４に示すように、調光レンズ（イ）はディセンターレンズであって、中央側の厚さ（Ｔ１）に比較して外側の厚さ（Ｔ２）は薄く成っているが、光が通過する方向のレンズ厚さは等しく成っている。
【００１０】
このように調光レンズ（イ）として光学中心がズレたディセンターレンズとすることで、上記プリズム現象は解消されるが、調光レンズとしての機能がバラツキ、厚さの大きな内側部分（フロント部の中央側）は色が濃く、外側部分は色が薄く成るといった問題がある。
【特許文献１】特開２００７−１６４０３０号に係る「積層レンズの製造方法及びその成形型」
【発明の開示】
【発明が解決しようとする課題】
【００１１】
このように、調光レンズ、白玉レンズ、偏光フイルムを積層して該調光レンズと白玉レンズにて偏光フイルムを挟み込んだ構造の調光・偏光レンズには上記のごとき問題がある。本発明が解決しようとする課題はこの問題点であり、内側部分（フロント部の中央側）と外側部分とで色の濃さに変化のないサングラス用の調光・偏光レンズを提供する。
【課題を解決するための手段】
【００１２】
本発明に係る調光・偏光レンズは表側に位置する調光レンズと裏側に位置する白玉レンズと偏光フイルムを積層した構造であり、偏光フイルムは調光レンズと白玉レンズの間に挟まれている。従って、基本的な構造は従来の調光・偏光レンズと共通している。しかし、本発明では表側の調光レンズの厚さを一定とし、どの位置でも色の濃さを同一とし、調光機能を均一化している。
【００１３】
これに対して、白玉レンズの厚さを変化させ、内側では厚く、外側では薄くしている。すなわち、本発明では裏側に位置する白玉レンズをディセンターレンズとし、光学中心をズラしている。ここで、ディセンターレンズである上記白玉レンズの製造方法については限定しない。
【発明の効果】
【００１４】
本発明の調光・偏光レンズは表側に位置する調光レンズがその厚さが均一としている為に、どの位置でも同じ色の濃さと成っていて、調光機能は均一化している。これに対して、白玉レンズはその厚さが内側(フロント部の中央側)を厚くし、外側を薄くしたディセンターレンズと成っている。
従って、顔に沿ってカーブし、外側へ大きく延びるサングラス用のレンズとして本発明の調光・偏光レンズを使用するならば、調光機能と偏光機能を兼ね備えると共にプリズム現象による歪みを生じないサングラスとなる。
【実施例】
【００１５】
図１は本発明に係る調光・偏光レンズを示す展開図であり、同図の１は調光レンズ、２は白玉レンズ、３は偏光フイルムを夫々表している。そして、これら調光レンズ１と白玉レンズ２は偏光フイルム３を間に挟み込んで積層して接着され、図２に示す調光・偏光レンズとなる。
【００１６】
ここで、偏光フイルム３とは偏光素子を融着性素材に直接貼り合わせて構成することが出来る。該偏光フイルム３を間に挟んで構成することで太陽光を規制することが出来る。従来の偏光レンズとはこの偏光フイルムを表側の白玉レンズと背側の白玉レンズによって挟み込んで積層・接着して構成されている。
【００１７】
ところで、本発明の調光・偏光レンズは両白玉レンズによって偏光フイルム３を挟み込むのではなく、一方側（表側）を調光レンズとしている。調光レンズ１とは周囲の紫外線量によって自らが濃度を変えて光の量を調整することが出来る機能を備えたレンズであり、レンズ素材にハロゲン化銀を混ぜ、紫外線によるハロゲンと銀の可逆的結合で着色・退色することが出来る。本発明ではこの調光レンズ１の厚さを一定としている。すなわち、一定厚さで所定の曲率をもって湾曲したレンズであり、その為に如何なる位置においても色の濃さは一定している。
【００１８】
その為に、光の透過度は等しく、サングラスを掛けた際に従来のように中央側が暗く、外側が明るく感じることはない。このように、調光レンズ１はその厚さが一定であるが、本発明では上記白玉レンズ２の厚さが違っている。サングラスとして組み付けした場合の内側（フロント部の中央側）では厚く、外側では薄く成っていて、ディセンターレンズを構成している。白玉レンズ２は無色・透明なプラスチック製又はガラス製のレンズである為に、厚さの変化によって明暗を生じることはない。
【００１９】
ところで、白玉レンズ２はガラス製レンズの場合は研磨され、プラスチック製レンズの場合は成形されるが、上記調光レンズ１とで偏光フイルム３挟んで積層される為に、表側の曲率は上記調光レンズ１の背面側曲率と同一とし、白玉レンズ２の背面側曲率はさらに大きく成っている。すなわち、白玉レンズ２は図３に示すように、所定の外径寸法を有す円形のアンカットレンズ４から切り出される訳であるが、該白玉レンズ２を製作するときは、視線の位置がアンカットレンズ４の光学中心Ｍになるように切り出される。
【００２０】
円形のアンカットレンズ４は幾何学中心Ｏを有し、上記光学中心Ｍとは所定の距離を隔てている。すなわち、ディセンターレンズを構成し、上記光学中心はサングラスを着用した際に視線が一致するように成っている。すなわち両白玉レンズ２，２の光学中心Ｍ−Ｍは瞳孔間距離をなる。
【００２１】
ところで、ディセンターレンズを構成する白玉レンズ２の製作方法は図３に示すようにアンカットレンズ４とほぼ同じ大きさとし、このアンカットレンズ４の表面を研磨することでディセンターレンズを製作することも可能である。そしてディセンターレンズと成った状態でリム形状に嵌る外周に切削又は研削される。
【図面の簡単な説明】
【００２２】
【図１】本発明に係る調光・偏光レンズの展開図。
【図２】本発明に係る調光・偏光レンズの横断面図。
【図３】玉型レンズから白玉レンズの切り出し形態。
【図４】従来の偏光レンズの断面構造。
【符号の説明】
【００２３】
１  調光レンズ
２  白玉レンズ
３  偏光フイルム
４  アンカットレンズ
【図１】
2010026143.tif 000003
【図２】
2010026143.tif 000004
【図３】
2010026143.tif 000005
【図４】
2010026143.tif 000006